(57)【特許請求の範囲】
【請求項１】
生物の飼育に使用される水貯留部に対する水の循環経路に配設され、導入される水中のアンモニア態窒素、亜硝酸態窒素および硝酸態窒素を微生物に吸収させて濃縮する、浸漬膜を備えた濃縮部と、
当該微生物と水とを泡沫分離によって分離する分離部と、
を一体に有する処理水槽を備え、
前記水貯留部内の溶存酸素量を調節するブロワをさらに備えたことを特徴とする水処理システム。
【請求項２】
生物の飼育に使用される水貯留部に対する水の循環経路に配設され、導入される水中のアンモニア態窒素、亜硝酸態窒素および硝酸態窒素を、浸漬膜に濃縮された微生物に吸収させて濃縮する濃縮工程と、
当該微生物と水とを泡沫分離によって分離する分離工程と、
を同時に実施し、
前記水貯留部内の溶存酸素量をブロワによって調節する調節工程を含むことを特徴とする水処理方法。
【発明の詳細な説明】
【技術分野】
【０００１】
本発明は、水処理システムおよび方法に関し、詳しくは生物の飼育に使用される水貯留部、例えば魚介類の陸上養殖を行うための水槽に貯留される水を、循環させつつ浄化する技術に関するものである。
【背景技術】
【０００２】
一般に、魚介類等を陸上養殖する際、養殖水槽という閉鎖環境では、排泄物に含まれているアンモニア態窒素の残留ないしは濃度の増大が問題となる。そこで、特許文献１には、養殖水槽に対して水の循環系を構成するとともに、循環の過程で硝化菌を利用した生物処理（好気処理）を行うことでアンモニア態窒素の除去を行う技術が開示されている。一方、特許文献２には、好気処理の後にさらに硝酸態窒素の脱窒を行うことが開示されている。硝酸態窒素は、毒性は低いものの、その濃度が高くなると飼育している魚介類等に弊害をもたらすので、特許文献２に開示された技術は有用である。
【先行技術文献】
【特許文献】
【０００３】
【特許文献１】特開２００５−２９５９３９号公報
【特許文献２】特開２０１５−６１５１３号公報
【発明の概要】
【発明が解決しようとする課題】
【０００４】
しかしながら、特許文献２に開示されているように、好気処理と脱窒処理という２段階の順次の処理を要するため、水槽などの水貯留部を含む循環系の大型化および維持費用の増大をもたらすものとなっていた。
【０００５】
よって本発明は、水槽などの水貯留部を含む循環系の大型化および維持費用の増大を抑制し得る水処理システムおよび方法を提供することを目的とする。
【課題を解決するための手段】
【０００６】
そのために、本発明水処理システムは、生物の飼育に使用される水貯留部に対する水の循環経路に配設され、導入される水中のアンモニア態窒素、亜硝酸態窒素および硝酸態窒素を、浸漬膜に濃縮された微生物に吸収させて濃縮する濃縮部と、当該微生物と水とを泡沫分離によって分離する分離部と、を一体に有する処理水槽を備えたことを特徴とする。
【０００７】
また、本発明水処理方法は、生物の飼育に使用される水貯留部に対する水の循環経路に配設され、導入される水中のアンモニア態窒素、亜硝酸態窒素および硝酸態窒素を、浸漬膜に濃縮された微生物に吸収させて濃縮する濃縮工程と、当該微生物と水とを泡沫分離によって分離する分離工程と、を同時に実施することを特徴とする。
【発明の効果】
【０００８】
本発明によれば、濃縮部に繁殖している好気性菌および嫌気性菌を含む微生物にアンモニア態窒素、亜硝酸態窒素および硝酸態窒素を取り込ませ、それらを濃縮した状態で効率よく分離することができるため、循環系の大型化および維持費用の増大を抑制することが可能となる。
【図面の簡単な説明】
【０００９】
【図１】本発明を適用した水処理システムの一実施形態を模式的に示すブロック図である。
【図２】本発明を適用した水処理システムの他の実施形態を模式的に示すブロック図である。
【図３】本発明を適用した水処理システムの別の実施形態を模式的に示すブロック図である。
【発明を実施するための形態】
【００１０】
以下、図面を参照して本発明を詳細に説明する。ただし、本発明は以下に述べる実施の態様に限定されるものではない。
【００１１】
なお、本発明の適用対象となる水貯留部には、陸上養殖用の水槽（養殖水槽）や生簀のほか、水族館・動物園の展示水槽や人工池、あるいは家庭で金魚や熱帯魚などの観賞用に使用される小型水槽などが含まれる。また、飼育対象となる生物には、魚類、貝類、甲殻類、鯨類等の海洋常在種、藻類など、海中にいることが常態である海棲生物だけでなく、海辺に棲息する生物、すなわちアシカ、オットセイ、ラッコ、ホッキョクグマ等の海獣類、あるいはペンギン、カメなども含まれ得る。
【００１２】
（水処理システムの概要）
図１に示す水処理システムの一実施形態は、例えば魚類の養殖用の水槽に適用されるものであり、水貯留部すなわち水槽１から、浸漬膜処理と泡沫分離とを行う処理水槽３を経て、水槽１に還流する循環経路ＣＭを含んでいる。
【００１３】
処理水槽３には、濃縮部としての浸漬膜５および分離部としての泡沫分離部７が配設されている。浸漬膜５のろ材には、ＭＦ（精密ろ過）膜やＵＦ（限外ろ過）膜を用いることができるほか、ＮＦ（ナノフィルタ）膜などを使用することも可能であり、適宜これらを併用してもよい。この浸漬膜５は、後述するブロワ９からの空気の導入に伴って発生する気泡により常時洗浄される。泡沫分離部７は、微細気泡の気液界面に吸着・濃縮された物質（微生物を含む）を、気泡とともに処理水槽３の上部の好ましい部位に誘導しつつ浮上させる。
【００１４】
処理水槽３の底部および泡沫分離部７は膜処理部１１に接続され、ポンプＰ２の駆動に伴って、処理水槽３の底部に沈殿したヘドロ状の汚濁物質および泡沫分離部７の上部に形成された安定泡沫が膜処理部１１に導入される。膜処理部１１は汚水から汚泥を分離し、その結果生じた処理水は、破線の矢印で示すように、還流経路ＣＲを介して水槽１に還流する。膜処理部１１で用いられるろ材についても適宜のものを使用することができ、孔径が小さい膜と空隙率が大きいろ材とを併用したものであってもよい。
【００１５】
本実施形態では、ブロワ９は処理水槽３のほか水槽１に接続される。これによりブロワ９に伴って水槽１のエアレーションが行われ、溶存酸素量を調節することができる。必要に応じてブロワ９は1台ではなく複数台設置しても構わない。さらに本実施形態では、ブロワ９はオゾン発生器１３を介して泡沫分離部７にも接続される。この構成は必須ではないが、泡沫分離部７にオゾンが導入されることで安定泡沫が形成されやすくなり、泡沫分離部７におけるスケール，スカム，スライムの効率的な除去や殺菌を行うことが可能となる。
【００１６】
ポンプＰ１の駆動に伴って水槽１から処理水槽３に導入された水は、循環系内で繁殖している微生物によって生物処理される。より具体的に述べると、浸漬膜５によって、アンモニア酸化菌および亜硝酸酸化菌を含む好気性菌類や、硝酸態窒素の脱窒を行う嫌気性菌類が濃縮されており、導入された水に含まれるアンモニア態窒素はアンモニア酸化菌に捉えられ、亜硝酸態窒素は亜硝酸酸化菌によって捉えられ、硝酸態窒素は嫌気性菌類によって捉えられる。従って、アンモニア態窒素、亜硝酸態窒素および硝酸態窒素を取り込んだ微生物類が浸漬膜５の部位に濃縮される一方、浸漬膜５からの透過水は水槽１に還流する。
【００１７】
浸漬膜５は、性能維持のために、ブロワ９からの空気の導入に伴って発生する気泡により常時洗浄される。当該洗浄に伴って、膜表面に形成された生物膜は剥離され、泡沫分離部７によって微細気泡の気液界面に吸着され、安定泡沫として処理水槽３の上部の好ましい部位に誘導される。
【００１８】
このように、本実施形態においては、好気（硝化）処理と嫌気（脱窒）処理という２段階の順次の処理を採用するのではなく、処理水槽３に配置した浸漬膜５によって繁殖した窒素化合物を取り込んだ菌類を濃縮し、泡沫分離部７で効率的に系外排出できる。
【００１９】
浸漬膜５の洗浄はブロワ９によって常時バブリングすることで行われるが、処理水槽３内に薬品を適宜投入して行う薬品洗浄を組み合わせることもできる。薬品洗浄のタイミングは、浸漬膜５の性能低下／回復に基づいて決定することができ、そのためには、例えば浸漬膜５の膜間差圧を検出するセンサを含むものとすることができる。また、浸漬膜５の性能低下の傾向や、薬品洗浄による性能回復の傾向が統計的または実験的に予測可能なものであれば、時間管理に基づいて薬品洗浄の開始／終了の時点を指示するものであってもよい。
【００２０】
（その他）
本発明は、以上説明した実施形態および随所に述べた変形例に限られることなく、種々の変更、置換、構成要素の削除、別の構成要素の追加などが可能である。
【００２１】
図２は、図１に示した水処理システムの変形例に係る実施形態であり、水槽１に対して脱窒槽１５を含んだ循環経路を追加したものである。上述のように、処理水槽３においても硝酸態窒素は嫌気性菌類によって脱窒されるが、それだけでは脱窒処理が不十分となる場合に図２の実施形態は有効である。なお、脱窒槽１５は処理水槽３から水槽１への処理水の還流路に設けてもよい。いずれにしても、窒素化合物除去は処理水槽３でも行われるため、脱窒槽１５はこれを単独で設けるよりも小型のもので足りる。
【００２２】
また、図３に示すように、水槽１の底部に処理水槽２３を接続して循環経路を構成する一方、泡沫分離部２７を水槽１に直接配置することも可能である。この実施形態では、水槽１の底部から流出する汚水は、処理水槽２３を経て水槽１に還流し、さらに泡沫分離部７によって再度処理水槽２３に戻されるように循環することで浄化される。処理水槽２３は、図１の実施形態の処理水槽３と同様に好気性菌類と嫌気性菌類とが混在するように構成されていてもよいし、それらが各別に存在するように区画に分けられたものであってもよい。
【００２３】
また、ポンプは水の円滑な移送が必要な適宜の位置に配設されればよい。さらに、流路の遮断が必要であれば、適宜の位置にバルブを配置してもよい。加えて、水処理方法は、図２および図３に示したような制御系および制御手順を用いて自動的に各部をオン／オフするものとするほか、少なくとも一部を手動にてオン／オフするものであってもよい。
【符号の説明】
【００２４】
１  水槽
３、２３  処理水槽
５  浸漬膜
７、２７  泡沫分離部
９  ブロワ
１１  膜処理部
１３  オゾン発生器
Ｐ１、Ｐ２  ポンプ
ＣＭ  循環経路
ＣＲ  還流経路
【図１】
0006786787.tif 000002
【図２】
0006786787.tif 000003
【図３】
0006786787.tif 000004